(57)【要約】【課題】構造を簡素化したフィルムベロ出し装置を提供すること。【解決手段】未現像フィルムが収容されたパトローネＰからベロを容器外部に引き出すフィルムベロ出し装置であって、フィルム搬送面の一方側に配置される第１ベロ出し板４と、搬送面の他方側に配置される第２ベロ出し板３と、第１ベロ出し板４を待機位置から作用位置へと駆動する駆動機構と、第２ベロ出し板３を待機位置から作用位置へと駆動する駆動機構とを備え、第１ベロ出し板４は、待機位置においてフィルム搬送面に沿った姿勢の本体作用部４ａを備え、待機位置から作用位置へと駆動するにあたり、本体作用部４ａをフィルム引出し方向とは逆方向に駆動し、本体作用部４ａを先端側から徐々にパトローネ内部に装入し、第２ベロ出し板３は、引出し方向に交差する方向に沿った姿勢を有する本体部３ｃと、パトローネ内部に装入される先端作用部３ｂとを備え、先端作用部３ｂのみがパトローネ内部に装入される。【選択図】    図２
2004184836.tif 000002
【特許請求の範囲】
【請求項１】
未現像の写真フィルムが収容されたフィルム容器からフィルム先端のベロを容器外部に引き出すためのフィルムベロ出し装置であって、
フィルムのベロを挟持してフィルム容器外部に引き出すために、フィルム搬送面の一方側に配置される第１ベロ出し部材、及び、フィルム搬送面の他方側に配置される第２ベロ出し部材と、
この第１ベロ出し部材を待機位置から作用位置へと駆動する第１駆動機構と、
前記第２ベロ出し部材を待機位置から作用位置へと駆動する第２駆動機構とを備え、
前記第１ベロ出し部材は、待機位置において前記フィルム搬送面に沿った姿勢の本体作用部を備え、待機位置から作用位置へと駆動するにあたり、この本体作用部をフィルム引出し方向とは逆方向に駆動し、本体作用部を先端側から徐々にフィルム容器内部に装入するようにし、
前記第２ベロ出し部材は、前記引出し方向に交差する方向に沿った姿勢を有する本体部と、この本体部の先端部に設けられ、フィルム容器内部に装入される先端作用部とを備えており、待機位置から作用位置へと駆動するにあたり、前記先端作用部のみがフィルム容器内部に装入されることを特徴とするフィルムベロ出し装置。
【発明の詳細な説明】
【０００１】
【発明の属する技術分野】
本発明は、未現像の写真フィルムが収容されたフィルム容器からフィルム先端のベロを容器外部に引き出すためのフィルムベロ出し装置に関する。
【０００２】
【従来の技術】
撮影済みの写真フィルムを現像処理するにあたり、写真フィルムをパトローネ（フィルム容器に相当）から引き出す必要がある。この場合、写真フィルムは、パトローネ内に完全に収容されているのがほとんどであるから、写真フィルムをパトローネ外部に引き出す必要がある。写真フィルムの先端部分を「ベロ」と呼んでおり（図５参照）、ベロを引き出した後に切断しフィルムリーダと呼ばれる部材に未現像フィルムを装着する。フィルムリーダは、現像処理装置の現像タンク内の搬送経路に沿って、フィルムを案内するために用いられる器具である。以上のように、パトローネからフィルムベロを引き出す装置が種々知られており、例えば、特許文献１が先行技術として知られている。
【０００３】
この先行技術における先端出しユニットは、上側先端つまみ板と下側先端つまみ板とを備えている。この上下の先端つまみ板をパトローネ内に装入させ、フィルムのベロを挟持してパトローネ外部に引き出す。
【０００４】
【特許文献１】
特開平６−３１７８９０号公報（段落０００９，００１０，００１４〜００１６、図４等）
【発明が解決しようとする課題】
上記の先行技術では、上下の先端つまみ板は、待機位置において、いずれもフィルム搬送面に沿った姿勢の本体作用部を備えている。この本体作用部をフィルム引出し方向とは逆方向に駆動する。これにより、本体作用部を先端側から徐々にパトローネ内部へと装入する。そしてフィルムを掴んだことを検出すると、上下の先端つまみ板をフィルム引出し方向に駆動する。これにより、フィルムベロをパトローネ外部に引き出すことができる。
【０００５】
フィルムを引き出した後、そのフィルムをそのまま現像処理部に送り込んだり、フィルムベロを切断する等の処理を行う必要がある。しかしながら、上記先行技術においては、搬送経路の搬送面の上下に搬送面に沿った姿勢の先端つまみ板を配置させているため、これが前述した処理を行うにはじゃまになる。そこで、先端つまみ板を駆動する駆動機構だけでなく、ベロ出し装置全体をフィルムの搬送経路から離れた位置に退避させるための別の駆動機構も必要となり、構造が複雑化している。
【０００６】
本発明は上記実情に鑑みてなされたものであり、その課題は、構造を簡素化することができるフィルムベロ出し装置を提供することである。
【課題を解決するための手段】
上記課題を解決するため本発明に係るフィルムベロ出し装置は、
未現像の写真フィルムが収容されたフィルム容器からフィルム先端のベロを容器外部に引き出すためのフィルムベロ出し装置であって、
フィルムのベロを挟持してフィルム容器外部に引き出すために、フィルム搬送面の一方側に配置される第１ベロ出し部材、及び、フィルム搬送面の他方側に配置される第２ベロ出し部材と、
この第１ベロ出し部材を待機位置から作用位置へと駆動する第１駆動機構と、前記第２ベロ出し部材を待機位置から作用位置へと駆動する第２駆動機構とを備え、
前記第１ベロ出し部材は、待機位置において前記フィルム搬送面に沿った姿勢の本体作用部を備え、待機位置から作用位置へと駆動するにあたり、この本体作用部をフィルム引出し方向とは逆方向に駆動し、本体作用部を先端側から徐々にフィルム容器内部に装入するようにし、
前記第２ベロ出し部材は、前記引出し方向に交差する方向に沿った姿勢を有する本体部と、この本体部の先端部に設けられ、フィルム容器内部に装入される先端作用部とを備えており、待機位置から作用位置へと駆動するにあたり、前記先端作用部のみがフィルム容器内部に装入されることを特徴とするものである。
【０００７】
この構成によると、フィルムベロを挟持して引き出すための第１・第２ベロ出し部材が設けられている。第１ベロ出し部材は、フィルム搬送面に沿った姿勢の本体作用部を備えており、これをフィルム引出し方向とは逆方向に駆動することで、本体作用部の先端側から徐々にフィルム容器内部に装入させる。一方、第２ベロ出し部材は、引出し方向に交差する方向に沿った姿勢を有する本体部と、先端作用部とを備えており、この先端作用部のみがフィルム容器内部に装入される。そして、第２ベロ出し部材の本体部を上記の姿勢になるように配置することで、引き出されたフィルムのその後の処理に対して支障のないようにすることができる。従って、ベロ出し部材を待機位置と作用位置の間を駆動するための駆動機構があれば足り、ベロ出し装置全体を退避させるための駆動機構は必要なくなる。その結果、構造を簡素化することができるフィルムベロ出し装置を提供することができる。
【０００８】
本発明の好適な実施形態として、引き出されたフィルムベロを切断するカッターと、切断されたフィルムベロを回収する回収容器とを備えたものがあげられる。
オペレータの作業を更に簡略化することができ、かつ、ベロ切断位置のミスやばらつきも無くすことができる。また、回収容器を設けることで、切断されたフィルムベロの後処理を容易にすることができる。
【０００９】
【発明の実施の形態】
本発明に係るフィルムベロ出し装置の好適な実施形態を図面を用いて説明する。図１は、フィルムベロ出し装置の構成を示す側面図である。図２〜図４は、作動状態を示す側面図である。
【００１０】
＜フィルムベロ出し装置の構成＞
図１において、パトローネ収容部１には、フィルム容器であるパトローネが収容される。光センサー２は、パトローネ収容部１にパトローネが収容されたか否かを検出するものである。光センサー２は、発光部２ａと受光部２ｂとから構成される。パトローネが収容されると、発光部２ａからの光が遮断され、受光部２ｂに到達しなくなる。
【００１１】
次に、パトローネ１内に収容されているフィルムのベロを引き出すためのベロ出し機構を説明する。まず、フィルムのベロを挟持してパトローネ外部に引き出すための第１ベロ出し板４と第２ベロ出し板３とを備えている。第１ベロ出し板４は、巻付ドラム５に巻き付けられる形態で保持されている。第１ベロ出し板４は、好適には、表面が粘着性を有するウレタンシートにより形成される。第１ベロ出し板４は、シート状の本体作用部４ａを有しており、フィルムの引き出し搬送面（図１において水平方向の面）に沿った姿勢をとっている。巻付ドラム５を回転駆動するためのベロ板駆動モータ６と、このモータ６と巻付ドラム５を連結するためのギヤ列７が設けられている。ベロ板駆動モータ６とギヤ列７は、第１ベロ出し板４を駆動する第１駆動機構に相当する。本体作用部４ａがパトローネ内部に装入されるように駆動される。
【００１２】
第２ベロ出し板３は、回転軸芯３ａ周りに回転可能に支持されている。第２ベロ出し板３は、フィルムの引き出し方向に交差する方向（図では、垂直に近い方向）に沿った姿勢を有する本体部３ｃと、本体部３ｃの先端部に設けられる先端作用部３ｂとを備えている。第２ベロ出し板３を駆動する第２駆動機構としてソレノイド１１が設けられている。ソレノイド１１を駆動することで、先端作用部３ｂがパトローネ内部に装入される。また、先端作用部３ｂの長さは、本体作用部４ａの長さに比べてかなり短くなっている。また、第２ベロ出し板３には、スプリング１７が作用しており、先端作用部３ｂがパトローネ外部に脱出する方向に付勢されている。
【００１３】
フィルム搬送面には、フィルムを駆動する駆動機構が設けられている。この駆動機構は、搬送上流側の第１駆動ローラ９ａ及び第１圧着ローラ９ｂと、搬送下流側の第２駆動ローラ１０ａ及び第２圧着ローラ１０ｂとを備えている。これらローラ機構を駆動するための駆動モータ１３が設けられている。駆動モータ１３による駆動力は、ベルト１４により伝達される。また、第１駆動ローラ９ａに対してギヤ列１５が連結されており、パトローネ収容部１に収容されたパトローネのスプール軸へ駆動力が伝達される。すなわち、  フィルムをパトローネから引き出すときには、ローラ機構を駆動すると共に、パトローネのスプール軸も駆動する。なお、過拘束にならないようにクラッチ機構（不図示）が設けられている。
【００１４】
また、第１圧着ローラ９ｂについては、第１駆動ローラ９ａに対して圧着される状態と、圧着を解除された状態とを切り換えることができるようになっている。そのために、不図示のソレノイドにより、第１圧着ローラ９ｂを上下動できるように構成している。図１の状態では、圧着状態が解除されている。
【００１５】
第１駆動ローラ９ａと第１圧着ローラ９ｂのすぐ下手側には、フィルムセンサー１２が設けられている。フィルムセンサー１２は、発光部１２ａと受光部１２ｂとからなる。このフィルムセンサー１２は、フィルムが引き出されたか否かを検出するものである。
【００１６】
第２駆動ローラ１０ａと第２圧着ローラ１０ｂのすぐ下流側には、フィルムカッター８が設けられている。これは、パトローネから引き出されたフィルムのベロを切断するためのものである。切断されたベロを回収するために屑受け１６が設けられている。
【００１７】
＜フィルムベロ出し装置の作用＞
次に、フィルムベロ出し装置の作用を図１〜４の作動図及び図６の作動フローチャートにより説明する。
【００１８】
図１は、パトローネを収容する前の状態を示している。すなわち、  第１ベロ出し板４と第２ベロ出し板３とは待機位置にある。第１ベロ出し板４は、本体作用部４ａが搬送面上にあり、その先端部は第１駆動ローラ９ａの近傍に位置している。また、第２ベロ出し板３は、本体部３が少し右方向に傾斜した姿勢で待機しており、パトローネの収容動作にじゃまにならない待機位置に退避している。
【００１９】
まず、パトローネ収容部１の不図示の蓋を開きパトローネＰをセットする（＃１）。パトローネＰをセットした後、蓋を閉じる。蓋を閉じると装置内部は完全に遮光された状態になる。蓋を閉じたことが検出されると、光センサー２によりパトローネＰが存在しているか否かをチェックする（＃２）。パトローネＰの存在が確認できると、ソレノイド１１を駆動し、スプリング１７の付勢力に抗して、第２ベロ出し板３を回転軸芯３ａを時計回り（矢印Ａ）に回転させる（＃３）。これにより、先端作用部３ｂがパトローネ内部に装入される。図２は、装入完了状態を示している。この時、第２ベロ出し板３は作用位置にある。
【００２０】
また、第２ベロ出し板３の駆動に引き続いて、第１ベロ出し板４を駆動する（＃４）。そのため巻付ドラム５を時計回り（矢印Ｂ）に回転させる。これにより、第１ベロ出し板４の本体作用部４ａは先端側から徐々にパトローネ内部に装入される。図２は、装入された状態を示している。この時、第１ベロ出し板４は作用位置にある。パトローネ内部への装入量（ほぼパトローネ内部を１周分）については、駆動モータ６の回転量により制御できる。駆動モータ６がパルスモータであれば、パルス数により制御することができる。
【００２１】
次に、フィルムベロを引き出すために、第１ベロ出し板４を逆方向に駆動する（＃５）。すなわち、  巻付ドラム５を時計方向（図３の矢印Ｂ’）に回転させる。この時の回転量も上記と同様に行うことができる。この場合、図３に示すように、本体作用部４ａがフィルムセンサー１２よりも更に後退した位置まで駆動することが好ましい。第１ベロ出し板４の表面は粘着性を有しており、フィルムを引き出しやすくしている。また、第２ベロ出し板３についてもソレノイド１１を駆動し、反時計方向（図３の矢印Ａ’）に回転させる（＃５）。
【００２２】
次に、フィルムセンサー１２によりフィルム先端を検出したか否かを判断する（＃６）。先端を検出できなかった場合は、うまくフィルムを引き出せなかったことを意味するので、再度ベロ出し板３，４を駆動してトライする。ただし、リトライをするのは２回までであり（＃１２）、３回失敗した場合はエラー表示をして終了する（＃１３）。なお、このリトライの回数については、任意の回数を設定ができる。
【００２３】
ステップ＃６でフィルムを検出した場合、不図示のソレノイドを駆動し、第１圧着ローラ９ｂを第１駆動ローラ９ａに圧着させる（＃７）。次に、駆動モータ１３によりローラ機構を駆動させてフィルムをさらに引き出す方向に駆動させる（＃８）。フィルムを駆動する量は所定量であり、これも駆動モータ１３の回転量により制御することができる。
【００２４】
図４に示すように、フィルムカッター８の位置からフィルムが所定量だけ飛び出した位置で駆動モータ１３を停止させフィルムを停止させる（＃９）。次に、フィルムカッター８を作動させて、フィルムのベロを切断する（＃１０）。図５に示すようにフィルムｆのベロが確実に切断される位置で切断する。フィルムのベロを切断するのは、現像処理のためにフィルムをリーダーに接続するためであり、リーダーにより現像処理装置の現像タンク内をフィルムを案内することができる。なお、リーダーを用いた現像処理は、周知の技術である。なお、切断されたベロは回収容器である屑受け１６に回収される。
【００２５】
次に、引き出されたフィルムを逆方向に駆動し、少しパトローネ内部に巻き戻す（＃１１）。これは、フィルムベロを切断するためにフィルムを余分に引き出しているからである。未現像のフィルムには潜像として画像が形成されているが、この画像形成部分がパトローネ外部に引き出されたままパトローネを装置外部に取り出すことはできない。そこで、画像形成部分がパトローネ内部に収容される位置まで、フィルムを逆方向に駆動する。リーダーに接続するために必要な量だけフィルムがパトローネから引き出された状態になるように、フィルムをパトローネ内部に戻すようにしている。
【００２６】
フィルムを所定量巻き戻すことでベロ出し作業が終了する。なお、パトローネをセットし、蓋を閉めた後の一連の動作は自動的に行われる。一連の作業が終了すると、終了したことが適宜の方法により表示される。オペレータは、ベロ出し作業の終了を確認すると、パトローネ収容部１の蓋を開いてフィルムが少し引き出されたパトローネを取り出す。以後は、フィルムをリーダーに接続する作業を行う。
【００２７】
本発明に係るフィルムベロ出し装置によると、第１ベロ出し板４と第２ベロ出し板３とは、フィルムの搬送にじゃまにならないように配置されている。すなわち、  第１ベロ出し板４の本体作用部４ａは、フィルム搬送面に沿った姿勢に配置されており、かつ、第２ベロ出し板３の作用部３ｃは、ほぼ垂直な姿勢で配置されているからである。従って、第１ベロ出し板４を駆動する駆動機構と、第２ベロ出し板３を駆動する駆動機構を備えておればよく、これらベロ出し板３，４を更に搬送面から退避させるための別の駆動機構を設ける必要はない。ベロ出し板３，４は、待機位置に退避させた状態でフィルムを引き出していくことができる構成となっている。これにより、フィルムベロ出し装置の構成を簡素化することができる。
【００２８】
＜別実施形態＞
（１）本実施形態では、フィルムのベロ出し及び切断を行う専用の装置を説明したが、これに限定されるものではない。例えば、フィルムベロ出し装置を現像処理装置に組み込んでもよい。つまり、本発明に係るベロ出し装置によりパトローネからフィルムを引き出し、そのまま現像タンクに送り込むような場合にも本発明は応用できる。この場合、現像処理装置のフィルム搬送機構に応じて、パトローネからフィルムを引き出した後、ベロを切断せずに、引き続いて現像処理タンクに送り込むこともできる。
【００２９】
（２）ベロ出し板３，４を駆動するための駆動機構については、本実施形態のものに限定されるものではなく、種々の変形例が可能である。また、ベロ出し板３，４の形状、材質についても同様である。
【００３０】
（３）フィルム容器はパトローネだけでなく、他のタイプの容器でもよい。
【図面の簡単な説明】
【図１】フィルムベロ出し装置の構成を示す側面図
【図２】フィルムベロ出し装置の作動を示す図
【図３】フィルムベロ出し装置の作動を示す図
【図４】フィルムベロ出し装置の作動を示す図
【図５】ベロ切断位置を説明する図
【図６】作動フローチャート
【符号の説明】
３        第２ベロ出し板
３ｂ      先端作用部
３ｃ      作用部
４        第１ベロ出し板
４ａ      本体作用部
５        巻付ドラム
６        駆動モータ
１１      ソレノイド
１３      駆動モータ
１６      屑受け
【図１】
2004184836.tif 000003
【図２】
2004184836.tif 000004
【図３】
2004184836.tif 000005
【図４】
2004184836.tif 000006
【図５】
2004184836.tif 000007
【図６】
2004184836.tif 000008